(57)【要約】【課題】  自動車用のアプリケーション構成を提供する。【解決手段】  本発明は、自動車（１０）用のアプリケーション構成（２０）、特に照明式の装飾および／または特徴付けアプリケーション（２０）であって、平面状に光を放出および／または反射するために発光表面および／または光反射表面（３０）を有するライト面（２６）と、上記の表面（３０）に割り当てられ、アプリケーション構成（２０）の外面を形成する透明カバーパネル（３４）とを備え、複数の個別のアプリケーション要素（２４）が、上記の表面（３０）上に配置され、外面に向かうライト面（２６）の光を少なくとも一部遮るアプリケーション構成（２０）に関する。【選択図】      図１
2016131151.tif 000002
【特許請求の範囲】
【請求項１】
自動車（１０）用のアプリケーション構成（２０）、特に照明式の装飾および／または特徴付けアプリケーション（２０）であって、
平面状に光を放出および／または反射するために発光表面および／または光反射表面（３０）を有するライト面（２６）と、
前記表面（３０）に割り当てられ、アプリケーション構成（２０）の外面を形成する透明カバーパネル（３４）と
を備え、
複数の個別のアプリケーション要素（２４）が、前記表面（３０）上に配置され、前記外面に向かう前記ライト面（２６）の光を少なくとも一部遮る
ことを特徴とするアプリケーション構成（２０）。
【請求項２】
前記アプリケーション要素（２４）が、図形および／または文字アプリケーションを形成し、前記アプリケーションが、前記アプリケーション要素（２４）の外側輪郭によって形成されることを特徴とする請求項１に記載のアプリケーション構成。
【請求項３】
前記アプリケーション要素（２４）が、互いに並べて、かつ互いから離して前記表面（３０）上に配置されることを特徴とする請求項１または２に記載のアプリケーション構成。
【請求項４】
前記アプリケーション要素（２４）が不透明な要素として具現化されることを特徴とする請求項１〜３のいずれか一項に記載のアプリケーション構成。
【請求項５】
前記ライト面（２６）が導光管として具現化され、前記導光管に光源が割り当てられて、前記導光管内に光を投入することを特徴とする請求項１〜４のいずれか一項に記載のアプリケーション構成。
【請求項６】
前記ライト面（２６）が蛍光面または層を有することを特徴とする請求項１〜５のいずれか一項に記載のアプリケーション構成。
【請求項７】
前記ライト面（２６）が反射層を有することを特徴とする請求項１〜６のいずれか一項に記載のアプリケーション構成。
【請求項８】
前記カバーパネル（３４）が前記表面（３０）から離隔されることを特徴とする請求項１〜７のいずれか一項に記載のアプリケーション構成。
【請求項９】
前記ライト面（２６）が細長い基体を有することを特徴とする請求項１〜８のいずれか一項に記載のアプリケーション構成。
【請求項１０】
前記ライト面（２６）の前記細長い基体が細長いハウジング（２８）内に保持され、前記ハウジング（２８）に前記カバーパネル（３４）が固定されることを特徴とする請求項９に記載のアプリケーション構成。
【請求項１１】
前記細長いハウジングが、前記カバーパネル（３４）と共に、前記ライト面（２６）のための閉じられた内部空間を形成することを特徴とする請求項１０に記載のアプリケーション構成。
【請求項１２】
前記ライト面（２６）が、導光管（３６）とライト隔板（３８）との間に配置されることを特徴とする請求項１〜１１のいずれか一項に記載のアプリケーション構成。
【請求項１３】
前記ハウジングがＵ字形の断面を有し、２つの脚部分が対向しており、前記導光管（３６）および前記隔板（３８）がそれぞれ、前記対向する脚部分に平行に配置されることを特徴とする請求項１２に記載のアプリケーション構成。
【請求項１４】
請求項１〜１３のいずれか一項に記載のアプリケーション構成（２０）を有する、自動車（１０）用のリアトリム構成（１２）。
【発明の詳細な説明】
【技術分野】
【０００１】
本発明は、自動車用のアプリケーション構成（配置）、特に照明式の装飾および／または特徴付けアプリケーションであって、平面状に光を放出および／または反射するために発光表面および／または光反射表面を有するライト面と、上記の表面に割り当てられ、アプリケーション構成の外面を形成する透明カバーパネルとを備えるアプリケーション構成に関する。
【０００２】
また、本発明は、自動車用のリアトリム構成に関する。
【背景技術】
【０００３】
そのようなアプリケーション構成は、例えば車種、モデル、またはブランドを示すために、自動車上に数字、文字、シンボル、またはレタリングを形成する。
【０００４】
従来技術から、一般に、後方からディスプレイを照明して、または後方から装飾体または装飾要素を照明して、それらを見えるようにすることが知られており、ここで、対応するレタリングおよび装飾要素は、隔板の切抜部として具現化され、それにより、切抜部の内側輪郭が、レタリングまたは装飾要素を形成する。対応する装飾要素は、例えば、下記特許文献１から知られている。
【０００５】
ここで、レタリング、装飾要素、またはアプリケーションのただ１つの対応する反転表現が形成され、その結果、発光面が小さく、対応するレタリングまたは装飾要素が見にくいことが欠点である。
【先行技術文献】
【特許文献】
【０００６】
【特許文献１】米国特許第４，４５７，０８９号明細書
【特許文献２】独国特許出願公開第１０  ２００９  ０２８  ９３７Ａ1号明細書
【特許文献３】独国実用新案出願公開第２０１  ０９  ２３７Ｕ１号明細書
【特許文献４】米国特許第８  ０１６  ４６７Ｂ２号明細書
【発明の概要】
【発明が解決しようとする課題】
【０００７】
したがって、本発明の目的は、全般により良く認識することができる自動車用のアプリケーション構成、特に装飾および／または特徴付けアプリケーションを提供することである。
【課題を解決するための手段】
【０００８】
この目的は、冒頭で述べたアプリケーション構成において、複数の個別のアプリケーション要素が表面上に配置され、外面に向かうライト面の光を少なくとも一部遮ることによって実現される。
【０００９】
また、この目的は、本発明によるアプリケーション構成を用いる冒頭で述べたリアトリム構成において実現される。
【００１０】
個別のアプリケーション要素が表面上に配置されることにより、ライト面の光は、外面に向かうのを少なくとも一部遮られ、その結果、アプリケーション要素は、ライト面に対して暗く見えるようになる。したがって、それに対応して、アプリケーション要素は、背面照明された文字として知覚することができ、その結果、周囲照明が弱いときに、アプリケーション構成または個別のアプリケーション要素がより見やすい。特に、その結果、同時に、強い周囲照明の場合でも優れた可視性を実現することが可能である。なぜなら、ライト面上の個別のアプリケーション要素が、周囲の面に対して強いコントラストを成すことができるからである。
【００１１】
したがって、本発明の目的が完全に解決される。
【００１２】
１つの好ましい実施形態では、アプリケーション要素は、図形および／または文字アプリケーションを形成し、アプリケーションは、アプリケーション要素の外側輪郭によって形成される。
【００１３】
したがって、アプリケーション要素は、ライト面の照明された表面に対して暗い面として見え、その結果、明るい支持面（下にある面）に対して暗いアプリケーション要素をはっきりと見ることができる。
【００１４】
また、アプリケーション要素が、互いに並べて、かつ互いに離して表面上に配置されることも好ましい。
【００１５】
その結果、個別のアプリケーション要素が、照明された背景に対して浮動し得ないので、文字、数字、またはアプリケーションを容易に読むことができる。
【００１６】
また、アプリケーション要素が不透明な要素として具現化されることも好ましい。
【００１７】
その結果、低い（少ない）技術的コストで、ライト面の表面による光の放出を阻止または防止することができ、その結果、アプリケーション要素は、照明された支持面上の暗い数字または文字として見える。
【００１８】
ここで、アプリケーション要素が、ライト面の表面に取り付けられたクロム要素であることが特に好ましい。
【００１９】
その結果、明るい周囲光条件では金属光沢によって通常通り認識することができる通常のレタリングを自動車に形成することができる。
【００２０】
この文脈で、アプリケーション要素が、ライト面の表面に結合される自己接着性の個別のクロム要素であることが特に好ましい。
【００２１】
その結果、低コストでの単純な取付けが可能である。
【００２２】
また、ライト面が導光管（ａ  ｌｉｇｈｔｇｕｉｄｅ）として具現化され、そこに光源が割り当てられて、導光管内に光を投入することも好ましい。
【００２３】
その結果、ライト面の独立した照明が可能であり、全体的にアプリケーション要素の優れた可視性を実現することができる。
【００２４】
また、ライト面が蛍光面または層を有することも好ましい。
【００２５】
その結果、周囲光または他の車両のヘッドライトからの光を使用して、全体的にライト面を照明することができ、それと同時に、ライト面の表面にわたる光の拡散および均一な分散が可能である。
【００２６】
また、ライト面が反射層を有することも好ましい。
【００２７】
その結果、他の自動車のヘッドライトからの光を使用して、ライト面の表面を照明し、それに対応してアプリケーション要素を見えるようにすることができる。
【００２８】
また、カバーパネルが表面から離隔されることも好ましい。
【００２９】
その結果、３次元の視覚的外観を実現することができ、これは特に高品質の外観を与える。
【００３０】
また、ライト面が細長い基体を有することも好ましい。
【００３１】
その結果、このアプリケーション構成によって、比較的長いレタリングも形成することができる。
【００３２】
ここで、ライト面の細長い基体が細長いハウジング内に保持され、ハウジングにカバーパネルが固定されることが特に好ましい。
【００３３】
その結果、アプリケーション構成をコンパクトな構成要素として製造することができ、その結果、自動車へのアプリケーション構成の取付けが低コストで可能である。
【００３４】
また、ここで、細長いハウジングが、カバーパネルと共に、ライト面のための閉じられた内部空間を形成することも好ましい。
【００３５】
その結果、アプリケーション構成を、閉じられた構成要素として提供することができ、その結果、内部空間への汚れや水分の侵入をなくすことができる。
【００３６】
また、ライト面が、導光管とライト隔板との間に配置されることも好ましい。
【００３７】
その結果、ライト面は、低い技術的コストで照明することができ、それと同時に、ライト面または照明される表面の規定の境界を提供することができる。
【００３８】
また、ハウジングが、Ｕ字形の断面を有し、２つの脚部分が対向しており、導光管および隔板がそれぞれ、対向する脚部分に平行に配置されることも好ましい。
【００３９】
その結果、アプリケーション構成をコンパクトに実現することができ、それと同時に、ライト面の均一な照明を可能にすることができる。
【００４０】
全体として、本発明によるアプリケーション構成によって、特に弱い周囲照明の場合と強い周囲照明の場合のどちらでも、アプリケーション要素の優れた可視性を実現することができる。なぜなら、個別のアプリケーション要素が、ライト面によって背面照明され、全体的に、ライト面に対してコントラストを成すことができるからである。
【００４１】
当然、上述した特徴およびさらに後述する特徴は、それぞれ特定の組合せで使用することができるのみならず、本発明の範囲から逸脱することなく、他の組合せでも、または単独でも使用することができる。
【００４２】
本発明の例示的実施形態を図面に示し、以下の説明でより詳細に説明する。
【図面の簡単な説明】
【００４３】
【図１】照明式のアプリケーション構成を有する自動車の概略図である。
【図２】照明式のアプリケーション構成を切った斜視断面図である。
【発明を実施するための形態】
【００４４】
図１に、自動車が後部側から概略図で示されており、全体を参照番号１０で表されている。自動車１０は、一般に、バンパ１４および／またはテールゲート１６によって形成されたリアトリム１２を有し、自動車ナンバープレート用の切抜部１８がリアトリムに形成されている。さらに、テールライト２２とは別個に具現化された照明式のアプリケーション構成２０が、リアトリム１２に配置される。
【００４５】
アプリケーション構成２０は、自動車１０の車種表記または自動車１０のブランド名を表す照明式のレタリングを形成する。それに対応して、以下により詳細に説明するように、アプリケーション構成は、複数のアプリケーション要素２４を有し、アプリケーション要素２４は、互いに並べて配置され、ライト面２６によって背面照明される。その結果、レタリングは、弱い外部照明の場合に後ろから特に見やすく、それと同時に自動車１０の高品質の外観を与える。アプリケーション構成２０は、レタリングおよび数字だけでなく、図形要素、例えばブランドシンボルや他の図形要素も含むことができる。
【００４６】
一般に、ライト面２６は、アプリケーション要素２４のための対応するコントラストを生み出すために、内側から光源によって照明することも、蛍光層または反射層によって周囲光または他の車両からのヘッドライトの光を反射することで照明することもできる。
【００４７】
アプリケーション要素２４は、ライト面２６上に個別の要素として配置され、アプリケーションまたはレタリングは、アプリケーション要素２４の外側輪郭によって形成され、それに対応して、背景面がライト面２６によって照明される。その結果、レタリングまたはアプリケーション要素２４は、照明された背景に比べて暗く見え、したがって、特に優れた可視性を実現することができ、それと同時に高品質の外観を与えることができる。
【００４８】
図２は、アプリケーション構成２０を通る概略斜視断面図を示す。
【００４９】
アプリケーション構成２０は、基本的には、Ｕ字形断面を有する細長いハウジング２８を有する。アプリケーション要素２４を含むライト面２６は、Ｕ字形ハウジング２８内に保持され、ライト面２６は、ハウジング２８の開口３２に向いた表面３０を有する。透明カバーガラス３４が開口３２に配置され、このカバーガラス３４は、ハウジング２８の内部空間を外部に対して閉じ、それに対応して、カバーガラス３４の外面が、アプリケーション構成２０またはリアトリム１２の外面を形成する。
【００５０】
アプリケーション要素２４は、互いに離して表面３０上に配置され、この実施形態ではレタリングの個々の文字を形成する。ここでは、アプリケーション要素２４は、好ましくは、結合剤によって表面３０に結合されたクロム要素またはクロム着色プラスチック要素である。通常、アプリケーション要素２４は結合層を有し、その結果、表面３０上へのアプリケーション要素２４の配置は、低コストで可能である。
【００５１】
ライト面は、カバーガラス３４から離してハウジング２８内に配置され、導光管３６およびライト隔板３８に対して実質的に直交するように配置される。好ましくは、ライト面２６は導光管として具現化され、そこに導光管３６を通して光を投入することができ、その結果、表面３０がライト面を形成し、それに対応してアプリケーション要素２４が背面照明される。ライト隔板３８は、ハウジング２８の内部での反射をなくすために、好ましくは無光沢または暗色の素材から形成される。
【００５２】
１つの特定の実施形態では、ライト面２６は、蛍光層および／または反射層を有することもでき、それに対応して、ライト面２６に入射する光を反射し、または導光管３６を介して投入された光を放出し、その結果、それに対応して均一な照明を提供することができる。１つの特定の実施形態では、ライト面は、その表面３０上に、約２ｍｍの厚さを有する無色透明のガラスを有する。導光管３６は、好ましくは、無色であり、半透明であり、無光沢であり、ミルクホワイト色にサンドブラスト仕上げされており、約３ｍｍの厚さを有する。ハウジング２８は、好ましくは不透明であって黒色であり、妨害的な光の反射がハウジング２８の内部空間で生じないようにし、または例えばテールライト２２など他の光源からの光がハウジング２８の内部空間に入らないようにする。
【００５３】
カバーガラス３４は、リアトリム１２の外面を形成し、好ましくはリアトリム１２と面一に仕上げられ、その結果、自動車１０のリアトリム１２へのアプリケーション構成２０の完全な組込みが可能である。
【００５４】
したがって、全体として、テールライト２２とは別個に具現化され、それに対応して高品質のデザイン要素を形成する、見やすいレタリングまたは図形シンボルを自動車１０の後部に提供することができる。
【符号の説明】
【００５５】
１０  自動車
１２  リアトリム構成
２０  アプリケーション構成
２２  テールライト
２４  アプリケーション要素
２６  ライト面
２８  ハウジング
３０  表面
３２  開口
３４  カバーパネル
３６  導光管
３８  ライト隔板
【図１】
2016131151.tif 000003
【図２】
2016131151.tif 000004
【外国語明細書】
2016131151000001.pdf